(57)【要約】【課題】  ユーザの使用する通信端末側で、ブラウザ上で自由に動的なパーツを複数組み合わせて、独自の画像を作成する方法及び装置並びにそのサービスを提供すること。【解決手段】  情報記録手段と、情報演算手段、情報入出力手段、情報表示手段、情報通信手段とを有し、ＳＷＦファイルを再生表示可能なユーザ用の通信端末と、ネットワークを介してそのユーザ用通信端末と接続され情報の授受を行なうネットワーク上の端末と、それら各端末の間での通信を可能にするネットワークとを少なくとも備えたシステムにおいて、ユーザ用通信端末で、その情報表示手段に表示する画像を作成するに当たり、その画像の構成要素となる単数或いは複数のＳＷＦファイルをプログラムコードに変換し、それを背景となる画像ファイルに結合し、次いで、それを1つのＳＷＦファイルとして生成する。【選択図】  図７
2006344134.tif 000002
【特許請求の範囲】
【請求項１】
情報記録手段と、情報演算手段、情報入出力手段、情報表示手段、情報通信手段とを有し、ＳＷＦファイルを再生表示可能なユーザ用の通信端末と、ネットワークを介してそのユーザ用通信端末と接続され情報の授受を行なうネットワーク上の端末と、それら各端末の間での通信を可能にするネットワークとを少なくとも備えたシステムにおいて、
ユーザ用通信端末で、その情報表示手段に表示する画像を作成するに当たり、
その画像の構成要素となる単数或いは複数のＳＷＦファイルをプログラムコードに変換し、それを背景となる画像ファイルに結合し、次いで、それを1つのＳＷＦファイルとして生成する
ことを特徴とする通信端末用画像作成方法。
【請求項２】
ユーザ用通信端末の情報表示手段に表示する画像の構成要素となる単数或いは複数のＳＷＦファイルをＰＨＰコードに変換し、それをＰＨＰ連結エンジンに介した後、ＭＩＮＧモジュールに通す
請求項１に記載の通信端末用画像作成方法。
【請求項３】
ユーザ用通信端末が携帯電話端末であり、その情報表示手段に表示する画像が待ち受け画面の壁紙である
請求項１または２に記載の通信端末用画像作成方法。
【請求項４】
情報記録手段と、情報演算手段、情報入出力手段、情報表示手段、情報通信手段とを有し、ＳＷＦファイルを再生表示可能なユーザ用の通信端末と、ネットワークを介してそのユーザ用通信端末と接続され情報の授受を行なうネットワーク上の端末と、それら各端末の間での通信を可能にするネットワークとを少なくとも備えたシステムにおいて、
ユーザ用通信端末の情報表示手段に表示する画像の構成要素となる単数或いは複数のＳＷＦファイルをプログラムコードに変換するデコード手段と、それによって得られたコードを背景となる画像ファイルに結合するコード連結手段と、得られた連結ファイルを1つのＳＷＦファイルとして生成するＳＷＦファイル生成手段とを設けた
ことを特徴とする通信端末用画像作成装置。
【請求項５】
情報記録手段と、情報演算手段、情報入出力手段、情報表示手段、情報通信手段とを有し、ＳＷＦファイルを再生表示可能なユーザ用の通信端末と、ネットワークを介してそのユーザ用通信端末と接続され情報の授受を行なうネットワーク上の端末と、それら各端末の間での通信を可能にするネットワークとを少なくとも備えたシステムにおいて、
ユーザは、ユーザ用通信端末で、その情報表示手段に表示する画像を作成するに当たり、
サービス提供者が提供するネットワーク上のサイトにアクセスし、ユーザ用通信端末の情報表示手段に表示する画像の構成要素となる単数或いは複数のＳＷＦファイルを選択すると共に、プログラムコードに変換し、それを背景となる画像ファイルに結合し、次いで、それを1つのＳＷＦファイルとして生成し、ダウンロードして利用に供する
ことを特徴とする通信端末用画像作成サービス。
【発明の詳細な説明】
【技術分野】
【０００１】
本発明は、携帯電話端末の待ち受け画面の画像など、通信端末用画像を作成する方法と、その方法を実施する装置、並びに、その実施をネット上で提供するサービスに関する。
【背景技術】
【０００２】
着せ替え携帯やデザインプロジェクトに見られるように、携帯電話端末にも個性や独自のスタイルが求められるようになりつつある。
従来の携帯電話端末用の壁紙作成サービスは、Java（登録商標）アプリを使ってテンプレートをダウンロードし、それユーザ各自の写真等画像を組み込むという形態が主流であった。
この場合、ユーザは毎回Java（登録商標）アプリケーションを起動して作成しなければならず、非常に手間がかかる上、既存のテンプレートに沿ったものしか作成できないため、自由度にかなり制限があった。
また、最近、ネットワーク上で、動的なＳＷＦファイルに写真を合成するサービスが現れたが、これもテンプレートに写真を埋め込むことには変わりなく、ユーザの自由度という点では、文字を入力できるという程度にとどまっている。
【０００３】
例えば、壁紙作成に関連する従来技術には、特許文献１、２がある。
しかし、ユーザには、画像作成に制限があり、各人の要望にかなったクオリティーが高いものは得られなかった。
【特許文献１】特開２００３−２７４０９８「画像形成装置、情報端末、背景画像送信方法、背景画像表示方法、及びプログラム」
【特許文献２】特開２００３−３０９８８０「携帯電話機」
【発明の開示】
【発明が解決しようとする課題】
【０００４】
そこで、本発明は、ユーザの使用する通信端末側で、Java（登録商標）アプリなどの特別なアプリケーションを起動する必要なく、ブラウザ上で自由に動的なパーツを選択し、それを複数組み合わせることができるようにして、オリジナリティの高いクリエイティブなＦＬＡＳＨ壁紙等を自分で作成できるようにする通信端末用画像作成方法及び装置並びにそのサービスを提供することを課題とする。
【課題を解決するための手段】
【０００５】
上記課題を解決するために、本発明の通信端末用画像作成は、情報記録手段と、情報演算手段、情報入出力手段、情報表示手段、情報通信手段とを有し、ＳＷＦファイルを再生表示可能なユーザ用の通信端末と、ネットワークを介してそのユーザ用通信端末と接続され情報の授受を行なうネットワーク上の端末と、それら各端末の間での通信を可能にするネットワークとを少なくとも備えたシステムにおいて、ユーザ用通信端末で、その情報表示手段に表示する画像を作成するに当たり、その画像の構成要素となる単数或いは複数のＳＷＦファイルをプログラムコードに変換し、それを背景となる画像ファイルに結合し、次いで、それを1つのＳＷＦファイルとして生成することを特徴とする。
【０００６】
ここで、ユーザ用通信端末の情報表示手段に表示する画像の構成要素となる単数或いは複数のＳＷＦファイルをＰＨＰコードに変換し、それをＰＨＰ連結エンジンに介した後、ＭＩＮＧモジュールに通すことが便宜的である。
【０００７】
ユーザ用通信端末としては携帯電話端末が好適に利用でき、その情報表示手段に表示する画像としては待ち受け画面の壁紙に有用に利用できる。
【０００８】
このような通信端末用画像作成方法を実施する装置は、情報記録手段と、情報演算手段、情報入出力手段、情報表示手段、情報通信手段とを有し、ＳＷＦファイルを再生表示可能なユーザ用の通信端末と、ネットワークを介してそのユーザ用通信端末と接続され情報の授受を行なうネットワーク上の端末と、それら各端末の間での通信を可能にするネットワークとを少なくとも備えたシステムにおいて、ユーザ用通信端末の情報表示手段に表示する画像の構成要素となる単数或いは複数のＳＷＦファイルをプログラムコードに変換するデコード手段と、それによって得られたコードを背景となる画像ファイルに結合するコード連結手段と、得られた連結ファイルを1つのＳＷＦファイルとして生成するＳＷＦファイル生成手段とを設けたことを特徴とする。
【０００９】
また、このような方法または装置を用いた通信端末用画像作成サービスは、情報記録手段と、情報演算手段、情報入出力手段、情報表示手段、情報通信手段とを有し、ＳＷＦファイルを再生表示可能なユーザ用の通信端末と、ネットワークを介してそのユーザ用通信端末と接続され情報の授受を行なうネットワーク上の端末と、それら各端末の間での通信を可能にするネットワークとを少なくとも備えたシステムにおいて、ユーザは、ユーザ用通信端末で、その情報表示手段に表示する画像を作成するに当たり、サービス提供者が提供するネットワーク上のサイトにアクセスし、ユーザ用通信端末の情報表示手段に表示する画像の構成要素となる単数或いは複数のＳＷＦファイルを選択すると共に、プログラムコードに変換し、それを背景となる画像ファイルに結合し、次いで、それを1つのＳＷＦファイルとして生成し、ダウンロードして利用に供することを特徴とする。
【発明の効果】
【００１０】
本発明によると、複数のＦＬＡＳＨパーツを組み合わせてオリジナルな画像を作成できるので、各自の携帯通信端末を自由度高くデザインでき、各人固有の要望にかなったクオリティーの高いサービスを提供可能である。
【発明を実施するための最良の形態】
【００１１】
以下、本発明の実施形態について、図面を基に説明する。
ここでは、通信端末として携帯電話機端末を例示するが、本発明は、ＰＤＡやＰＣなど、ＦＬＡＳＨの使用できる端末であれば任意の端末に適用可能である。
【００１２】
図１は、本発明によるシステム構成の概要を示す説明図、図２は、ＦＬＡＳＨ待ち受け画像をダウンロードする流れを示す説明図、図３は、サービス提供者への会員認証の流れを示す説明図である。
ユーザ側は、情報記録手段と、情報演算手段、情報入出力手段、情報表示手段、情報通信手段とを有し、ＳＷＦファイルを再生表示可能な通信端末を備える。
サービス提供者側は、ネットワークを介してユーザ用通信端末と接続され情報の授受を行なうネットワーク上の端末を備え、両者の間は、各端末の間での通信を可能にするネットワークで接続される。
ユーザは、サービス提供者の提供するネットワーク上のサイトにアクセスし、ＦＬＡＳＨ待ち受け画像のダウンロードと共に、会員認証や利用料金の確認など諸々のサービスを受け、他方、サービス提供者は、課金対象のサービスを提供することで収益を得る。
【００１３】
図４は、本システムの基本構成部分を示すフローチャート、図５は、図４における背景選択部分を示すフローチャートである。また、図６は、ＳＷＦファイルを生成する流れを示す説明図、図７は、ＳＷＦファイルが生成される様態を示す説明図である。
ユーザ側は、ユーザ用通信端末で、その情報表示手段に表示する画像を作成するに当たり、サービス提供者が提供するネットワーク上のサイトにアクセスし、ユーザ用通信端末の情報表示手段に表示する画像の構成要素となる単数或いは複数のＳＷＦファイルを選択する。ＳＷＦファイルが複数の場合は、階層的に重ね合わされる順序を考慮して、選択する順序を選定する。背景となる画像も、ネット経由で受領してもよいが、ユーザ用通信端末に蓄積されている写真等の画像ファイルを利用してもよい。
【００１４】
ユーザ用通信端末の情報表示手段に表示する画像の構成要素となる単数或いは複数のＳＷＦファイルは、サーバ上で、SWFtoPHP等の変換ソフトによって、ＰＨＰコード等のプログラムコードに変換し、背景となる画像ファイルと共に、ＰＨＰ連結エンジン等のコード連結ソフトによって結合し、ＭＩＮＧモジュール等のＳＷＦファイルをプログラムから生成するソフトを介して、1つのＳＷＦファイルとして生成する。
なお、ＳＷＦファイルは、Macromedia  Flash等のＦＬＡＳＨコンテンツ作成ソフトによって作成でき、背景写真画像を形成する中間ファイルとしては、JPG、GIF、PINGなど任意の画像ファイルが適宜利用できる。
また、従来公知の着信音と着ＦＬＡＳＨとを組み合わせてサービス提供することも可能である。
【００１５】
このような構成によって、Java（登録商標）アプリなど、特別なアプリケーションを起動することなく、ユーザの通信端末のブラウザ上で、各自オリジナルのＦＬＡＳＨ壁紙を作成することが可能となる。
従来の携帯電話で採用されているＦＬＡＳＨの仕様では、複数オブジェクトを合成して1つの画像として保存することはできないが、本発明によると、ユーザは、複数の動的オブジェクトを自在に合成することができるので、あたかもクリエイターになった感覚でオリジナルのＦＬＡＳＨ壁紙を制作することができる。
【００１６】
図８は、本システムの実施例のサイトマップを示す説明図である。図９〜１４は、そのメニュー画面と操作の流れの例を示す説明図であり、図９は、トップページ、図１０〜１２は、ユーザが最初から自分で作成する場合、図１３は、サービス提供者から提供されるお勧めの画像を利用する場合、図１４は、ユーザが自分で撮影した写真を利用する場合、図１５は、ユーザのマイページを示す。
【００１７】
背景や飾り付けオブジェクトには、次のような画像が利用できる。
ジャンルとしては、例えば、セレブご愛用系、ネイルアート系、カフェ系、クラブ系、POPキュート系、ROCK系、イニシャル系などが挙げられる。例えば、渋谷ギャルセレブ系コンテンツとしては、モノグラム、チェック、ラインストーンなど、ギャルの間で流行しているものを敏感に感じとって反映したコンテンツを、ネイルアート系コンテンツとしては、フラワー、リボン、ハートなどネイルアートで流行しているようなコンテンツを、カフェ系コンテンツとしては、下北や高円寺等のカフェをイメージしたポップでおしゃれなコンテンツを、クラブ系コンテンツとしては、VJ感覚で組み合わせることのできるクールなコンテンツを、POPキュート系コンテンツとしては、キャラものやかわいい系のコンテンツを、ROCK系コンテンツとしては、タトゥーやシルバーアクセサリー等のコンテンツを、イニシャル系コンテンツとしては、アルファベット等の文字記号のコンテンツを、また、季節や、流行、話題ものを中心に特集を組んだコンテンツやキャラクタータイアップしたコンテンツなどを利用できる。
【００１８】
このようなコンテンツが、例えば、200種類あれば、それらを組み合わせることによって作ることのできるＦＬＡＳＨ待受画像は2000万通り以上となる。ユーザは、各自の趣味嗜好に応じて、VJ感覚でクールな待受画像を作ったり、ネイルアート感覚でキュートな待受画像を作ったりでき、ハンドメイドのアクセサリーを作るような感覚も得られ、思いもよらなかった芸術作品を作ることができる可能性もある。
また、自分で撮った写真や、知人に送ってもらった写真や画像をサーバにアップロードし、背景パーツとして使うことによって、簡単に動く「プリクラ待受画像」を作ることも容易なので、完成された待受画像を配信したり、決められたテンプレートに写真や文字だけ入れて待受画像を作成する従来サービスとも全く異なり、ユーザの創造性を喚起する効果もある。
【産業上の利用可能性】
【００１９】
本発明によると、ユーザが、各自の欲求を満たす通信端末画像を、自らの創意工夫で形成でき、しかもその操作を遊び感覚で行うことができる。
そのため、例えば、携帯電話待受画像に、自分で撮った写真しか利用していなかった層や、既存の待受画像サイトを利用していた層や、携帯電話でＦＬＡＳＨゲームを楽しんでいた層など、幅広い層に普及しうるので、産業上利用価値が高い。
【図面の簡単な説明】
【００２０】
【図１】本発明によるシステム構成の概要を示す説明図
【図２】ＦＬＡＳＨ待ち受け画像をダウンロードする流れを示す説明図
【図３】サービス提供者への会員認証の流れを示す説明図
【図４】本システムの基本構成部分を示すフローチャート
【図５】図４における背景選択部分を示すフローチャート
【図６】ＳＷＦファイルを生成する流れを示す説明図
【図７】ＳＷＦファイルが生成される様態を示す説明図である。
【図８】本システム実施例のサイトマップを示す説明図
【図９】トップページのメニュー画面と操作の流れの例を示す説明図
【図１０】ユーザが最初から自分で作成する場合のメニュー画面と操作の流れの例を示す説明図
【図１１】ユーザが最初から自分で作成する場合のメニュー画面と操作の流れの例を示す説明図
【図１２】ユーザが最初から自分で作成する場合のメニュー画面と操作の流れの例を示す説明図
【図１３】サービス提供者から提供されるお勧めの画像を利用する場合のメニュー画面と操作の流れの例を示す説明図
【図１４】ユーザが自分で撮影した写真を利用する場合のメニュー画面と操作の流れの例を示す説明図
【図１５】ユーザのマイページのメニュー画面と操作の流れの例を示す説明図
【図１】
2006344134.tif 000003
【図２】
2006344134.tif 000004
【図３】
2006344134.tif 000005
【図４】
2006344134.tif 000006
【図５】
2006344134.tif 000007
【図６】
2006344134.tif 000008
【図７】
2006344134.tif 000009
【図８】
2006344134.tif 000010
【図９】
2006344134.tif 000011
【図１０】
2006344134.tif 000012
【図１１】
2006344134.tif 000013
【図１２】
2006344134.tif 000014
【図１３】
2006344134.tif 000015
【図１４】
2006344134.tif 000016
【図１５】
2006344134.tif 000017